(57)【要約】【課題】表示可能な文字数が限られた表示手段によってより多くの内容を表示することができる技術を提供する。【解決手段】所定数の文字が表示可能な幅を有する表示手段と、表示手段において各所定の文字列を表示する制御手段と、所定の語句について対応する省略文字が登録されたデータベースとを備えた表示装置において、制御手段により、各文字列の表示を行うに際し、該文字列を構成する文字の数が前記所定数を超える場合、前記データベースに基づき、該文字列における語句を対応する省略文字に置き換えて表示を行う（ステップ４１〜４４）ようにする。【選択図】図４
2009258249.tif 000002
【特許請求の範囲】
【請求項１】
所定数の文字が表示可能な幅を有する表示手段と、
前記表示手段において各所定の文字列を表示する制御手段と、
所定の語句について対応する省略文字が登録されたデータベースとを備え、
前記制御手段は、前記各文字列の表示を行うに際し、該文字列を構成する文字の数が前記所定数を超える場合、前記データベースに基づき、該文字列における語句を対応する省略文字に置き換えて表示を行うことを特徴とする表示装置。
【請求項２】
前記制御手段は、前記省略文字に置換した文字列の表示を行うに際し、表示開始から所定時間が経過するまでは省略文字への置換がなされていない本来の文字列により表示を行うことを特徴とする請求項１に記載の表示装置。
【請求項３】
前記制御手段は、前記文字列における語句についての省略文字への置換に際し、所定の優先順位に基づき、該文字列を構成する文字の数を前記所定数以下とするのに必要十分な語句についてのみ省略文字への置換を行うことを特徴とする請求項１又は２に記載の表示装置。
【請求項４】
前記制御手段は、前記文字列における語句についての省略文字への置換に際し、複数の異なる置換が可能である場合、そのうちの、該文字列を構成する文字の数を前記所定数以下とすることができるような置換を採用することを特徴とする請求項１〜３のいずれか１項に記載の表示装置。
【請求項５】
ユーザによる前記データベースへの登録を受け入れる手段を有することを特徴とする請求項１〜４のいずれか１項に記載の表示装置。
【請求項６】
コンピュータを、請求項１〜５のいずれかの表示装置における制御手段として機能させることを特徴とするプログラム。
【請求項７】
所定数の文字が表示可能な幅を有する表示手段の各行において各所定の文字列を表示する制御工程を備え、
前記制御工程において、前記各文字列の表示を行うに際し、該文字列を構成する文字の数が前記所定数を超える場合、所定の語句について対応する省略文字が登録されたデータベースに基づき、該文字列における語句を対応する省略文字に置き換えて表示を行うことを特徴とする表示方法。
【発明の詳細な説明】
【技術分野】
【０００１】
本発明は、文字列を表示する表示装置、該表示装置における制御手段としてコンピュータを機能させるプログラム、及び文字列を表示する表示方法に関する。
【背景技術】
【０００２】
従来、蛍光表示管や液晶ディスプレイ等の表示装置によって文字を表示する際に、表示桁が足りないために、すべての文字を表示することができない場合には、スクロール表示等を行うことにより対応している。従来のポータブルプレーヤや、据え置き型のオーディオシステム等においても、表示部の面積を大きくすることができない場合には、１行に表示可能な文字数が少ない。たとえば１行につき表示可能な文字数は１０〜１５文字程度である。これらのオーディオ装置において、再生する楽曲の楽曲名、アーティスト名等を表示する場合、１行で表示しきれない文字列については、スクロールさせて表示したり、行を分けて表示したりする等の処理により、表示すべき文字列の全体を表示するようにしている。
【０００３】
また、表示桁数の不足を解消するための技術としては、プログラムを表示する際に、隣接するプログラムの表示間で同じ語句が繰り返して表示される場合には、同じ語句を「〃」等に置き換えて、短縮化して表示することにより、スクロール表示によることなく、より多くの情報を表示することができるようにした技術も知られている（たとえば特許文献１参照）。
【０００４】
【特許文献１】特開平１０−２４７３５７号公報
【発明の開示】
【発明が解決しようとする課題】
【０００５】
しかしながら、上述のスクロール表示により文字列の全体を表示する技術によれば、何らかの操作を連続的に行い、連続的に表示内容が変化する場合にはスクロールが間に合わないので、表示内容がわかりにくく、表示内容に基づいて所望の動作を選択するのに手間取る場合がある。たとえば、楽曲検索の場合のように短時間で複数の楽曲名を確認する作業が必要な場合、各楽曲名を構成する文字のすべてをスクロール表示すると、かなりの時間を要する。したがって、このような確認作業にはスクロール表示は適していない。
【０００６】
また、１つの楽曲名を行を分けて表示する場合には、行が増える分だけ表示に要する面積が増加するので、同時に表示されるその楽曲に関する他の情報や、楽曲検索時にその楽曲名に隣接して表示される前後の楽曲名を表示するためのスペースが減少する。
【０００７】
また、上述の同じ語句を「〃」等に置き換えて表示する技術によれば、隣接する表示間において同じ語句が表示される特殊な場合にのみ有効であるため、一般的な表示における文字列の短縮効果は薄い。
【０００８】
本発明の目的は、このような従来技術の問題点に鑑み、表示可能な文字数が限られた表示手段によってより多くの内容を表示することができる技術を提供することにある。
【課題を解決するための手段】
【０００９】
この目的を達成するため、第１の発明に係る表示装置は、所定数の文字が表示可能な幅を有する表示手段と、前記表示手段において各所定の文字列を表示する制御手段と、所定の語句について対応する省略文字が登録されたデータベースとを備え、前記制御手段は、前記各文字列の表示を行うに際し、該文字列を構成する文字の数が前記所定数を超える場合、前記データベースに基づき、該文字列における語句を対応する省略文字に置き換えて表示を行うことを特徴とする。
【００１０】
第２の発明に係る表示装置は、第１発明において、前記制御手段は、前記省略文字に置換した文字列の表示を行うに際し、表示開始から所定時間が経過するまでは省略文字への置換がなされていない本来の文字列により表示を行うことを特徴とする。
【００１１】
第３の発明に係る表示装置は、第１又は第２発明において、前記制御手段は、前記文字列における語句についての省略文字への置換に際し、所定の優先順位に基づき、該文字列を構成する文字の数を前記所定数以下とするのに必要十分な語句についてのみ省略文字への置換を行うことを特徴とする。
【００１２】
第４の発明に係る表示装置は、第１〜第３のいずれかの発明において、前記制御手段は、前記文字列における語句についての省略文字への置換に際し、複数の異なる置換が可能である場合、そのうちの、該文字列を構成する文字の数を前記所定数以下とすることができるような置換を採用することを特徴とする。
【００１３】
第５の発明に係る表示装置は、第１〜第４のいずれかの発明において、ユーザによる前記データベースへの登録を受け入れる手段を有することを特徴とする。
【００１４】
第６の発明に係るプログラムは、コンピュータを、第１〜第５のいずれかの発明に係る表示装置における制御手段として機能させることを特徴とする。
【００１５】
第７の発明に係る表示方法は、所定数の文字が表示可能な幅を有する表示手段の各行において各所定の文字列を表示する制御工程を備え、前記制御工程において、前記各文字列の表示を行うに際し、該文字列を構成する文字の数が前記所定数を超える場合、所定の語句について対応する省略文字が登録されたデータベースに基づき、該文字列における語句を対応する省略文字に置き換えて表示を行うことを特徴とする。
【発明の効果】
【００１６】
本発明によれば、表示可能な文字数が限られた表示手段によってより多くの内容を表示することができる。
【発明を実施するための最良の形態】
【００１７】
図１は本発明の一実施形態に係るオーディオシステムの構成を示すブロック図である。同図に示すように、このシステムは、装置各部の制御や必要な情報処理を行うマイコン１０、並びにマイコン１０によって制御され又は使用されるＣＤドライブ２１、外部メディア２２、入力セレクタ切換部２３、ＣＤタイトル検索用のデータベース２４、コーデック部２５、アンプ部２６、キーやリモコン２７、表示装置２８、及び変換データベース２９を備える。
【００１８】
マイコン１０はＣＤドライブ２１を制御するＣＤ制御部１１、外部メディア２２を制御する外部メディア制御部１２、入力セレクタ切換部２３を制御する入力セレクタ制御部１３、データベース２４を用いてＣＤタイトルの検索を行うＣＤタイトル検索制御部１４、コーデック部２５及びアンプ部２６を制御するオーディオ制御部１５、キーやリモコン２７を制御するキー・リモコン制御部１６、変換データベース２９を用いて表示装置２８を制御する表示制御部１７、並びに、記憶データの管理を行うファイルシステム１８を備える。
【００１９】
キー・リモコン制御部１６は、キーやリモコン２７によるユーザからの入力を受け入れる。ＣＤ制御部１１はユーザ入力に基づく指示に応じ、ＣＤドライブ２１に挿入された音楽ＣＤから楽曲データを読み出す。読み出された楽曲データは、オーディオ制御部１５に供給される。外部メディア２２としては、ＳＤカード、ＵＳＢメモリ、デジタルオーディオプレーヤのハードディスク等が該当する。外部メディア制御部１２はユーザ入力に基づく指示に応じ、ＳＤカードやＵＳＢメモリ用のデバイスドライバ、ＡＴＡドライバ等により外部メディア２２から楽曲データを読み出してオーディオ制御部１５に供給したり、オーディオ制御部１５からの楽曲データを外部メディア２２に書き込んだりする。入力セレクタ１３はユーザ入力に基づく指示に応じ、入力先や出力先をＣＤドライブ２１や外部メディア２２の各メディア間で切り替える。
【００２０】
ＣＤタイトル検索制御部１４はデータベース２４に基づき、ＣＤドライブ２１にセットされたＣＤについて、ＣＤタイトルの検索を行う。オーディオ制御部１５は、供給される楽曲データやアナログ音声信号をコーデック部２５によりアナログ音声信号や楽曲データに変換したり、音声信号についてアンプ部２６によりボリュームやアッテネータによるゲイン調整を伴った増幅を施したりする。マイコン１０は表示制御部１７により、システムの動作状況の表示、各種設定や再生したい楽曲の選択等のためのメニュー表示、生成中のＣＤや楽曲のタイトルや、アーティスト名、アルバム名の表示等を表示装置２８において行う。変換データベース２９には、所定の単語、熟語、文章等の語句について、対応するショートカット文字すなわち省略文字が登録される。表示制御部１７は楽曲名等の表示を行うに際し、楽曲名等を構成する語句のうち、変換データベース２９において登録されているものについては、対応する省略文字に置き換えることにより変換して表示することができる。
【００２１】
図２は変換データベース２９における登録内容の一例を示す。同図のように、単語に限らず、「Ｂｙ  ｔｈｅ  ｗａｙ」や「ｓｅｅ  ｙｏｕ」のような、句や文章等も登録の対象となり、省略文字に変換して表示することができる。たとえば、楽曲名又は楽曲名に含まれる文章として「Ｉ  ｌｏｖｅ  ｙｏｕ」という文字列を表示する場合、変換データベース２９に基づいて単語毎に変換を行うと、図９（ａ）のように、単語「ｌｏｖｅ」はハートの特殊記号に変換され、単語「ｙｏｕ」は「Ｕ」に変換される。この場合、各文字間のスペースを含め、５文字で表示されることになる。一方、「Ｉ  ｌｏｖｅ  ｙｏｕ」の全体について、「Ｉ」、ハートの特殊記号、及び「Ｕ」の３文字からなる１つの省略文字が登録されてる場合、図９（ｂ）のように、その省略文字により３文字での表示が可能となる。
【００２２】
変換データベース２９への登録は、ユーザも行うことができる。たとえば、楽曲名「Ｌｕｃｙ  ｉｎ  ｔｈｅ  Ｓｋｙ  ｗｉｔｈ  Ｄｉａｍｏｎｄｓ」についての表示が行われるとき、それを構成するいずれの語句についても変換データベース２９における登録がなされていないとすれば、ユーザは、「ｗｉｔｈ」について「ｗ／」を、「Ｄｉａｍｏｎｄ」については「Ｄ'ｍｏｎｄ」を省略文字として登録する旨の入力をキーやリモコン２７により行うことができる。その際、楽曲名が表示されているときに、マイコン１０は、キー・リモコン制御部１６を介し、省略文字登録コマンドの入力に引き続き、表示されている楽曲名における登録したい語句の範囲の指定を受け入れ、さらに省略文字の入力を受け入れて、変換データベース２９への登録を行う。この後、マイコン１０は、その楽曲名や他の楽曲名を表示する際、ユーザが登録した語句が含まれていれば、その語句を対応する省略文字に置き換えて表示することができる。なお、変換データベース２９において既に登録されている既存の語句についての省略文字の変更のみを許容するようにしてもよい。
【００２３】
図３は表示装置２８における楽曲名の表示例を示す。楽曲選択画面や再生画面においては、表示装置２８における画面の大きさの関係上、１行に１８文字までが表示可能となっている。この１行において楽曲名「Ｒｏｃｋ  ａｎｄ  Ｒｏｌｌ  Ｍｕｓｉｃ」を表示する場合、従来は同図（ａ）のように「Ｒｏｃｋ  ａｎｄ  Ｒｏｌｌ  Ｍｕｓｉ」と表示されるが、本実施形態においては同図（ｂ）のように「Ｒｏｃｋ  ＋  Ｒｏｌｌ  ＭＳＣ」と表示される。すなわち「Ｒｏｃｋ  ａｎｄ  Ｒｏｌｌ  Ｍｕｓｉｃ」は１行に収まらないので、変換データベース２９における登録内容に従い、「ａｎｄ」を「＋」に置き換えるとともに、「Ｍｕｓｉｃ」を「ＭＳＣ」に置き換えて表示される。すなわち、内容的には省略されることなく、１行内に収まるように表示される。
【００２４】
図４はマイコン１０における処理の一部を示すフローチャートである。この処理は、図３のように、表示部１８の１行において１つの楽曲名を表示するときのものである。
【００２５】
処理を開始すると、まず、ステップ４１において、楽曲名を構成する文字数が、表示部１８の１行で表示可能な文字数よりも多いかどうかを判定する。多いと判定した場合にはステップ４２へ進みに、省略文字に変換可能な語句が存在するかどうかを判定する。この判定は、辞書記憶部２９における登録内容に基づいて行われる。変換可能な語句が存在すると判定した場合には、ステップ４３において、それらの語句を対応する省略文字に変換し、そしてステップ４４において、変換後の楽曲名を表示部１８の１行に表示し、処理を終了する。
【００２６】
ステップ４１において変換可能な語句が存在しないと判定した場合、及びステップ４１において楽曲名の文字数が１行で表示可能な文字数よりも多くはないと判定した場合にはステップ４４において、楽曲名をそのまま表示部の１行に表示し、処理を終了する。
【００２７】
これによれば、楽曲名を構成する文字数が、１行で表示可能な文字数よりも多い場合でも、省略文字に置き換えられたことに応じて楽曲名を構成する文字数が減少するので、楽曲名全体の内容を１行で表示できる可能性が向上する。また、省略文字への変換により文字数が減少しても内容的には損失が無いので、楽曲名の本来の文字数が１行で表示可能な文字数よりも多いためにそのまま表示した場合には本来の内容が損なわれるような場合でも、内容の損失を極力抑制して表示を行うことができる
【００２８】
図５は表示装置２８における楽曲名の別の表示例を示す。この例では、楽曲名を構成する各語句についての省略文字への変換に際し、所定の優先順位に基づき、楽曲名を構成する文字の数を１行で表示可能な文字数以下とするのに必要十分な語句についてのみ省略文字への変換を行うようにしている。すなわち、表示対象とされた楽曲名において優先順位の高い語句から順に省略文字へ変換してゆき、楽曲名を構成する文字数が１行で表示可能な文字数以下となったところで変換を終了することにより、表示すべき変換された楽曲名を得ることができる。
【００２９】
優先順位としては、たとえば、変換データベース２９における各語句について優先順位を登録する手段を設け、この手段により登録された優先順位を用いることができる。その際、各語句についての優先順位は、その語句について省略文字が使用された回数に応じて高くなるように、省略文字の使用回数が反映されたものとすることができる。あるいは、楽曲名の前に位置する語句ほど、又は後ろに位置する語句ほど、優先順位を高くするようにしてもよい。このような優先順位の登録や優先順位付けの論理の選択は、ユーザが任意に行うことができるようにしてもよい。すなわち、ユーザが、所望の語句について優先順位を高く設定したり、省略文字の使用回数を優先順位に反映させるか否かを設定したり、楽曲名の前又は後ろのいずれの語句を優先するかを設定したりすることができるようにしてもよい。
【００３０】
図５の例では、上述と同様の楽曲名「Ｒｏｃｋ  ａｎｄ  Ｒｏｌｌ  Ｍｕｓｉｃ」を表示する場合について例示しているが、「＋」（ａｎｄ）の方が「ＭＳＣ」（Ｍｕｓｉｃ）よりも優先順位が高く、かつ「ａｎｄ」を「＋」に置き換えるのみで、文字数が、１行に表示可能な１８文字以下となるので、「Ｒｏｃｋ  ＋  Ｒｏｌｌ  Ｍｕｓｉｃ」のように表示されている。「ａｎｄ」を「＋」に置換しただけでは１行で表示可能な文字数以下とならない場合には、さらに、次に優先度の高い「Ｍｕｓｉｃ」が「ＭＳＣ」に置換されることになる。
【００３１】
図６はこのように優先順位に応じて省略文字への変換を行うようにしたマイコン１０における処理を示すフローチャートである。この処理も、表示装置２８の１行において１つの楽曲名を表示するときのものである。処理を開始すると、まず、ステップ６１において、楽曲名を構成する文字数が、１行で表示可能な文字数よりも多いかどうかを判定する。多いと判定した場合にはステップ６２へ進み、省略文字に変換可能な語句が存在するかどうかを判定する。
【００３２】
変換可能な語句が存在すると判定した場合には、ステップ６３及び６４において、変換可能な語句のうち、上述の優先順位が最も高いものから順に、対応する省略語に変換してゆく。その際、ステップ６４において、変換を行う毎に、その変換後の楽曲名を構成する文字数が、１行で表示可能な文字数以下になったかどうかを判定する。１行で表示可能な文字数以下になったと判定した場合にはステップ６５へ進み、１行で表示可能となった変換後の楽曲名を表示装置２８の１行において表示し、処理を終了する。
【００３３】
ステップ６２において変換可能な単語等が存在しないと判定した場合、及びステップ６１において楽曲名の文字数が１行で表示可能な文字数よりも多くはないと判定した場合には、ステップ６５へ進み、楽曲名をそのまま表示部の１行に表示し、処理を終了する。
【００３４】
これによれば、楽曲名を構成する文字数が、１行で表示可能な文字数よりも多い場合でも、楽曲名全体の内容を１行で表示できる可能性が向上するとともに、１行で表示できる場合には、省略文字の使用を最小限に抑えることができる。
【００３５】
図７は表示装置２８における楽曲名のさらに別の表示例を示す。この例では、表示を開始してから所定時間、たとえば１秒間、省略文字を使用することなく表示を行い、所定時間の経過後、省略文字を用いた表示を行うようにしている。この例においても上述と同様の楽曲名「Ｒｏｃｋ  ａｎｄ  Ｒｏｌｌ  Ｍｕｓｉｃ」を表示する場合について例示している。すなわち、表示を開始してから所定時間は同図（ａ）に示すように、「Ｒｏｃｋ  ａｎｄ  Ｒｏｌｌ  Ｍｕｓｉ」のように表示される。所定時間が経過すると、同図（ｂ）に示すように、「Ｒｏｃｋ  ＋  Ｒｏｌｌ  ＭＳＣ」のように表示される。
【００３６】
図８はこのような表示を行うマイコン１０における処理を示すフローチャートである。この処理も、表示装置２８の１行において１つの楽曲名を表示するときのものである。処理を開始すると、まず、ステップ８１において、楽曲名を構成する文字数が、１行で表示可能な文字数よりも多いかどうかを判定する。多いと判定した場合にはステップ８２へ進み、楽曲名を構成する語句の中に省略文字に変換可能なものが存在するかどうかを判定する。
【００３７】
変換可能な語句が存在すると判定した場合には、ステップ８３へ進み、省略文字に変換することなく楽曲名をそのまま図７（ａ）のように表示し、ステップ８４において所定時間が経過するのを待機する。所定時間が経過すると、ステップ８５へ進み、楽曲名を構成する語句のうちの可能なものを省略文字に変換する。次に、ステップ８６において、省略文字への変換後の楽曲名を表示装置２８の１行において表示し、処理を終了する。
【００３８】
これによれば、省略文字への変換を行う前の楽曲名を所定時間表示してから省略文字への変換を行った楽曲名を表示するようにしたため、アーティストの意向として楽曲名に省略文字が使用されている場合、それがアーティストの意向による省略文字であるのか、又はシステムによる省略文字であるのかをユーザは判別することができる。したがって、アーティストの意向による本来の楽曲名が誤認識されるのを防止することができる。また、ユーザは、どのような語句がどのような省略文字によって置換されるのかを自然と認識するようになり、省略文字から本来の語句を確実に連想することができるようになる。
【００３９】
なお、本発明は上述実施形態に限定されることなく、適宜変形して実施することができる。たとえば、上述においては言及しなかったが、省略文字への変換後の文字列によっても１行に表示できない場合には、その変換後の文字列について、スクロール表示を行うようにしてもよい。その場合、変換前の本来の文字列全体をスクロール表示する場合に比べて、スクロール表示に要する時間が短いので、文字列の内容を短時間で把握することができる。
【００４０】
また、上述においては、１行に表示する文字列として楽曲名を表示する場合を例として説明したが、楽曲名に限らずアーティスト名やアルバム名を１行において表示する場合においても、本発明を適用することができる。
【００４１】
また、上述においては、変換データベース２９における登録例として、英字により表記された語句の例を示したが、これに限らず、漢字、平仮名、片仮名、記号、顔文字等を用いて表記された語句について、これらの文字種の表記を用いた省略文字を登録することができるようにしてもよい。これによれば、たとえばユーザは、７文字で構成されるアーティスト名「Ｂｅａｔｌｅｓ」について、省略文字「Ｂとるず」を登録することができる。これにより、「Ｂｅａｔｌｅｓ」を含むアーティスト名及びアルバム名を１行に表示する場合に、双方を加算した文字列の文字数が、１行に表示可能な文字数を超える場合でも、省略文字「Ｂとるず」を用いることにより文字列を短縮化し、より多くの内容を表示することができる。
【００４２】
また、上述においては言及しなかったが、変換データベース２９における語句及び対応する省略文字の登録データは、英語、日本語等の言語毎に分けた辞書として管理し、英語用の辞書を用いて省略を行うか、又は日本語用の辞書を用いて省略を行うかを選択できるようにしてもよい。
【００４３】
また、上述においては言及しなかったが、楽曲名を構成する語句についての省略文字への変換に際し、複数の異なる変換が可能である場合、そのうちの、楽曲名を構成する文字の数を１行で表示可能な文字数以下とすることができるような変換を採用するようにしてもよい。すなわち、上述図９の「Ｉ  ｌｏｖｅ  ｙｏｕ」についての変換例の場合、同図（ａ）及び（ｂ）の２通りの変換が可能であるが、同図（ａ）の変換によれば１行で表示可能な文字数以下とはならないが、同図（ｂ）の変換によれば同文字数以下となる場合には、同図（ｂ）の変換を採用するようにしてもよい。
【図面の簡単な説明】
【００４４】
【図１】本発明の一実施形態に係るオーディオシステムの構成を示すブロック図である。
【図２】図１のシステムの変換データベースにおける登録内容の一例を示す図である。
【図３】図１のシステムの表示装置における表示例を示す図である。
【図４】図１のシステムのシステムマイコンにおける処理を示すフローチャートである。
【図５】図１のシステムの表示装置における別の表示例を示す図である。
【図６】図１のシステムのシステムマイコンにおける別の処理を示すフローチャートである。
【図７】図１のシステムの表示装置におけるさらに別の表示例を示す図である。
【図８】図１のシステムのシステムマイコンにおけるさらに別の処理を示すフローチャートである。
【図９】図１のシステムの表示装置における同一文字列についての省略文字への異なる変換例を示す図である。
【符号の説明】
【００４５】
１０：マイコン、１１：ＣＤ制御部、１２：外部メディア制御部、１３：入力セレクタ制御部、１４：ＣＤタイトル検索制御部、１５：オーディオ制御部、１６：キー・リモコン制御部、１７：表示制御部、１８：ファイルシステム、２１：ＣＤドライブ、２２：外部メディア、２３：入力セレクタ切換部、２４：ＣＤタイトル検索用のデータベース、２５：コーデック部、２６：アンプ部、２７：キーやリモコン、２８表示装置、２９：変換データベース。
【図１】
2009258249.tif 000003
【図２】
2009258249.tif 000004
【図３】
2009258249.tif 000005
【図５】
2009258249.tif 000006
【図７】
2009258249.tif 000007
【図４】
2009258249.tif 000008
【図６】
2009258249.tif 000009
【図８】
2009258249.tif 000010
【図９】
2009258249.tif 000011